(57)【要約】 【課題】  相手方の電話番号データをユーザの最も覚えやすい英文字列等の独特の文字情報を指定して登録できるようにすると共に、英文字を頭の中で数字に置き換えて電話番号情報を入力するような手間を省略できるようにする。【解決手段】  数字及び英文字を含むユニークな電話番号を入力する操作パネル１０と、この操作パネル１０により入力された電話番号に対応する電話番号データＤ１を登録するＥＥＰＲＯＭ２３と、このＥＥＰＲＯＭ２３から電話番号データＤ１を読み出すＣＰＵ５３とを備え、このＣＰＵ５３は、電話番号発信時に、操作パネル１０により入力されたユニークな電話番号に基づいて電話番号データＤ１を読み出すものである。この構成によって、相手方の電話番号データＤ１をユーザの最も覚えやすい英文字列等のユニークな電話番号を指定して登録することができる。【選択図】        図１
2005260381.tif 000002
【特許請求の範囲】
【請求項１】
電話番号情報を処理する装置であって、
数字及び英文字を含む独特の文字情報を入力操作する操作手段と、
前記操作手段により入力された文字情報に対応する電話番号情報を登録する登録手段と、
前記登録手段から電話番号情報を読み出す情報読出し手段とを備え、
前記情報読出し手段は、
電話番号発信時に、
前記操作手段により入力された前記文字情報に基づいて電話番号情報を読み出すことを特徴とする情報処理装置。
【請求項２】
前記操作手段は、
前記文字情報を手動で画面描画入力又はキーボタン入力する機能を有することを特徴とする請求項１に記載の情報処理装置。
【請求項３】
前記操作手段は、
予め数字に割り当てられた英文字で前記文字情報を入力するように操作されることを特徴とする請求項１に記載の情報処理装置。
【請求項４】
前記操作手段により入力された文字情報に対応する電話番号情報を構築する構築手段を備えることを特徴とする請求項１に記載の情報処理装置。
【請求項５】
前記構築手段は、
数字「２」と英文字「Ａ，Ｂ，Ｃ」、数字「３」と英文字「Ｄ，Ｅ，Ｆ」、数字「４」と英文字「Ｇ，Ｈ，Ｉ」、数字「５」と英文字「Ｊ，Ｋ，Ｌ」、数字「６」と英文字「Ｎ，Ｍ，Ｏ」、数字「７」と英文字「Ｐ，Ｑ，Ｒ，Ｓ」、数字「８」と英文字「Ｔ，Ｕ，Ｖ」、数字「９」と英文字「Ｗ，Ｘ，Ｙ，Ｚ」とを対応付けた文字変換テーブルを有することを特徴とする請求項４に記載の情報処理装置。
【請求項６】
前記電話番号情報を管理する電話番号管理ソフトウェアを備えることを特徴とする請求項１に記載の情報処理装置。
【請求項７】
前記登録手段から出力される電話番号情報に基づいて相手方を呼び出して送信処理をする通信装置を備えることを特徴とする請求項１に記載の情報処理装置。
【請求項８】
前記通信装置は
電話回線又は公衆回線に接続可能な機能を有することを特徴とする請求項７に記載の情報処理装置。
【請求項９】
前記通信装置を電話回線又は公衆電話回線に接続するためのデータ活用機能が実装されることを特徴とする請求項７に記載の情報処理装置。
【請求項１０】
前記通信装置を制御するインターネット閲覧ソフトウェア又は文書閲覧ソフトウェアを備えることを特徴とする請求項７に記載の情報処理装置。
【請求項１１】
前記インターネット閲覧ソフトウェアによって表示されたインターネットページ及び／又は閲覧文書内に記載される「英文字を使った電話番号」の情報を複写した後にダイヤル機能ソフトウェアに対して当該情報の貼り付け操作を実行することを特徴とする請求項１０に記載の情報処理装置。
【請求項１２】
電話番号情報を処理する方法であって、
数字及び英文字を含む独特の文字情報を受け付けると共に当該文字情報に対応する電話番号情報の登録を受け付ける行程と、
前記電話番号の発信時に、
前記文字情報の入力を受け付ける行程と、
入力された前記文字情報に基づく電話番号情報を読み出す行程とを有することを特徴とする情報処理方法。
【請求項１３】
前記電話番号情報を登録する際に、
前記文字情報を手動で画面描画入力処理又はキーボタン入力処理することを特徴とする請求項１２に記載の情報処理方法。
【請求項１４】
前記電話番号情報を登録する際に、
予め数字に割り当てられた英文字で前記文字情報を入力処理することを特徴とする請求項１２に記載の情報処理方法。
【請求項１５】
入力された前記文字情報に対応する電話番号情報を構築処理することを特徴とする請求項１２に記載の情報処理方法。
【請求項１６】
前記電話番号情報を構築処理する際に、
数字「２」と英文字「Ａ，Ｂ，Ｃ」、数字「３」と英文字「Ｄ，Ｅ，Ｆ」、数字「４」と英文字「Ｇ，Ｈ，Ｉ」、数字「５」と英文字「Ｊ，Ｋ，Ｌ」、数字「６」と英文字「Ｎ，Ｍ，Ｏ」、数字「７」と英文字「Ｐ，Ｑ，Ｒ，Ｓ」、数字「８」と英文字「Ｔ，Ｕ，Ｖ」、数字「９」と英文字「Ｗ，Ｘ，Ｙ，Ｚ」とを対応付けた文字変換テーブルを使用することを特徴とする請求項１５に記載の情報処理方法。
【請求項１７】
前記電話番号情報を電話番号管理ソフトウェアを使用して管理することを特徴とする請求項１２に記載の情報処理方法。
【発明の詳細な説明】
【技術分野】
【０００１】
本発明は、ユニークな電話番号情報を処理する情報携帯端末装置や携帯電話機等に適用して好適な情報処理装置及び情報処理方法に関する。詳しくは、電話番号情報を処理する場合に、英文字を含む独特の文字情報に対応する電話番号情報を登録する登録手段を備え、電話番号発信時には、当該文字情報に基づいて電話番号情報を読み出すようにして、相手方の電話番号情報をユーザの最も覚えやすい英文字列等の独特の文字情報を指定して登録できるようにすると共に、英文字を頭の中で数字に置き換えて電話番号情報を入力するような手間を省略できるようにしたものである。
【背景技術】
【０００２】
近年、欧米市場等において、プッシュ式電話機や携帯電話機等の電話番号のボタンにアルファベットが割り付けられ、その英文字を電話番号の代わりに選択して、その電話番号の呼称に利用する方法が採られる。例えば、欧米の電話機で数字キー「２」にはアルファベット「Ａ」、「Ｂ」、「Ｃ」が割り当てられ、数字キー「３」には同様に「Ｄ」、「Ｅ」、「Ｆ」が割り当てられて使用される。このアルファベット文字は、手動で電話番号を入力するときの手段として利用される。例えば、英文字を頭の中で数字に置き換えて電話番号情報を入力するようになされる。
【０００３】
この種の数字とアルファベットを組み合わせた入力機能を有する情報携帯端末装置に関して、特許文献１には、電話番号入力装置が記載されている。この電話番号入力装置によれば、音声認識部、アルファベット・数字変換部及び合成部を備え、電話番号を入力するときに、音声認識部は音声入力された数字及びアルファベットを組み合わせた電話番号を認識する。アルファベット・数字変換部は、変換テーブルを参照してアルファベットを数字に変換する。合成部は、音声認識部で認識された数字と、同変換部で変換された数字とを合成して電話番号データを出力するようになされる。このように電話番号入力装置を構成すると、電話番号を簡単に音声入力できるというものである。
【０００４】
また、特許文献２には携帯電話機による使用のための数字列を生成するシステム及び方法が公表されている。このシステムによれば、数字及びアルファベット文字を含む音声データを収集し、ここで収集された音声データを構文解析し、構文解析されたアルファベット文字を数字に変換し、変換後の数字と構文解析された数字から数字列を形成するようになされる。このようにシステムを構成すると、電話番号を簡単に音声入力できるというものである。
【０００５】
なお、数字とアルファベットを組み合わせた文字情報は、広告宣伝やＷＥＢ広告等に利用されている。例えば、欧米市場では、アルファベット表記を電話番号の一部として利用して雑誌や、テレビ広告、インターネットの記事などに記載される例が既に知られている。
【０００６】
このような広告宣伝等に関連して、特許文献３には、広告配信システムが開示されている。この広告配信システムによれば、広告配信手段を備え、この広告配信手段は、当該広告配信サイトに接続された無線携帯端末装置の端末ＩＤにより、ユーザを特定し、予め登録されている個人属性を抽出し、ここで抽出された個人属性に適合した広告を付加して配信するようになされる。このように広告配信システムを構成すると、ユーザに最適な広告を動的に選択して配信できるというものである。
【０００７】
また、従来例において、発信した電話番号や着信した電話番号を着信履歴情報として保存し、この着信履歴情報から再度発信を行う機能を持った情報携帯端末装置も知られている。
【０００８】
【特許文献１】特開２００２−０３７４３２号公報（第２頁、図１）
【特許文献２】特表２００２−５４０７３１号公報（第８頁、図１）
【特許文献３】特開２００２−２５１５７２号公報（第３頁、図１）
【発明の開示】
【発明が解決しようとする課題】
【０００９】
ところで、従来例に係る情報携帯端末装置によれば、電話番号情報を処理する場合に、以下のような問題がある。
【００１０】
ｉ．数字キーに割り当てられたアルファベット文字を使用して、手動で電話番号を入力する場合に、英文字を頭の中で数字に置き換えて電話番号情報を入力しなくてはならず、入力操作が煩雑化するおそれがある。
【００１１】
ii．特許文献１及び２によれば、携帯電話機等の情報携帯端末装置において、数字及びアルファベット文字を含む文字情報を認識する音声認識部が必要となり、コスト高を招くおそれがある。
【００１２】
iii．また、特許文献１及び２によれば、アルファベットが一旦数字に変換されると後から、自分が発信した電話番号と音声入力した電話番号情報とが一致しているかの判断がつき難い面がある。
【００１３】
iv．特許文献３に見られるような広告配信システムにおいて、数字とアルファベットを組み合わせた入力機能を有する情報携帯端末装置を適用させようとした場合に、問題点ｉのような問題が発生する。
【００１４】
ｖ．着信履歴情報から再度発信を行う機能を持った情報携帯端末装置と、数字とアルファベットを組み合わせた入力機能を有する情報携帯端末装置とをリンクさせようとした場合に、相手方の電話番号情報をユーザの最も覚えやすい英文字列等の独特の文字情報を指定して登録することが難しい。
【００１５】
そこで、この発明はこのような従来の課題を解決したものであって、電話番号情報を処理する場合に、相手方の電話番号情報をユーザの最も覚えやすい英文字列等の独特の文字情報を指定して登録できるようにすると共に、英文字を頭の中で数字に置き換えて電話番号情報を入力するような手間を省略できるようにした情報処理装置及び情報処理方法を提供することを目的とする。
【課題を解決するための手段】
【００１６】
上述した課題は、電話番号情報を処理する装置であって、数字及び英文字を含む独特の文字情報を入力する操作手段と、この操作手段により入力された文字情報に対応する電話番号情報を登録する登録手段と、この登録手段から電話番号情報を読み出す情報読出し手段とを備え、この情報読出し手段は、電話番号発信時に、操作手段により入力された文字情報に基づいて電話番号情報を読み出すことを特徴とする情報処理装置によって解決される。
【００１７】
本発明に係る情報処理装置によれば、電話番号情報を処理する場合に、操作手段は数字及び英文字を含む独特の文字情報を入力するようになされる。登録手段は、操作手段により入力された文字情報に対応する電話番号情報を登録するようになされる。これを前提にして、情報読出し手段は、電話番号発信時に、操作手段により入力された文字情報に基づいて電話番号情報を読み出すようになされる。
【００１８】
従って、相手方の電話番号情報をユーザの最も覚えやすい英文字列等の独特の文字情報を指定して登録することができる。これにより、英文字を頭の中で数字に置き換えて電話番号情報を入力する手間が省ける。また、異なった電話番号情報を間違えて発信してしまうおそれがなくなる。
【００１９】
本発明に係る情報処理方法は、電話番号情報を処理する方法であって、数字及び英文字を含む独特の文字情報を受け付けると共に当該文字情報に対応する電話番号情報の登録を受け付ける行程と、電話番号の発信時に、文字情報の入力を受け付ける行程と、入力された文字情報に基づく電話番号情報を読み出す行程とを有することを特徴とするものである。
【００２０】
本発明に係る情報処理方法によれば、電話番号情報を処理する場合に、相手方の電話番号情報をユーザの最も覚えやすい英文字列等の独特の文字情報を指定して登録することができる。従って、英文字を頭の中で数字に置き換えて電話番号情報を入力するような手間を省略することができる。また、異なった電話番号情報に間違えて発信してしまうおそれがなくなる。
【発明の効果】
【００２１】
本発明に係る情報処理装置及び情報処理方法によれば、電話番号情報を処理する場合に、英文字を含む独特の文字情報に対応する電話番号情報を登録する登録手段を備え、電話番号発信時には、当該文字情報に基づいて電話番号情報を読み出すものである。
【００２２】
この構成によって、相手方の電話番号情報をユーザの最も覚えやすい英文字列等の独特の文字情報を指定して登録することができる。従って、英文字を頭の中で数字に置き換えて電話番号情報を入力する手間が省ける。また、異なった電話番号情報を間違えて発信してしまうおそれがなくなる。
【発明を実施するための最良の形態】
【００２３】
続いて、この発明に係る情報処理装置及び情報処理方法の一実施例について、図面を参照しながら説明をする。
【実施例１】
【００２４】
図１は本発明に係る各実施例としての情報携帯端末装置１００の外観例を示す平面図である。
この実施例では、電話番号情報を処理する場合に、英文字を含む独特の文字情報に対応する電話番号情報を登録する登録手段を備え、電話番号発信時には、当該文字情報に基づいて電話番号情報を読み出すようにして、相手方の電話番号情報をユーザの最も覚えやすい英文字列等の独特の文字情報を指定して登録できるようにすると共に、英文字を頭の中で数字に置き換えて電話番号情報を入力するような手間を省略できるようにしたものである。
【００２５】
図１に示す情報携帯端末装置１００は情報処理装置の一例であり、電話番号情報を処理する装置である。情報携帯端末装置１００には携帯電話機、電話機能付きのゲーム機、電話機能付きの電子手帳、電話機能付きの電子辞書、電話機能付きのノート型のパーソナルコンピュータ（以下パソコンという）が含まれる。
【００２６】
情報携帯端末装置１００は、高さがＨ［ｃｍ］で幅がＷ［ｃｍ］程度の端末装置本体１０１を有している。端末装置本体１０１には、操作手段の一例となる操作パネル１０が備えられる。操作パネル１０は、表示部１１及びペン入力部１３を有している。表示部１１は、高さがｈ１［ｃｍ］で幅がｗ１［ｃｍ］程度の大きさを有している。表示部１１には液晶表示ディスプレイが使用される。
【００２７】
表示部１１は、電話番号を表示するための第１の表示領域Ｉと、キー入力部１２を表示するための第２の表示領域IIとに分割して使用される。キー入力部１２は、電話番号を構成する文字情報を手動でキーボタン入力する機能を有している。
【００２８】
キー入力部１２には、数字「０」〜「９」から成るテンキーや、「＊」キー、「＃」キー等の記号キーが表示される。キー入力部１２は数字及び英文字を含む独特の文字情報（以下ユニークな電話番号ともいう）を入力するように操作される。表示部１１上にはタッチパネルが設けられ、キー入力部１２を構成するようになされる。キー入力部１２は、表示部１１に表示されたテンキーや記号キー等を押下するように操作される。キー入力部１２はタッチパネル形式でない、通常のハードキー構成のものであってもよい。
【００２９】
この例で、キー入力部１２は、予め数字に割り当てられた英文字で電話番号を入力するように操作される。例えば、数字「２」キーには英文字「Ａ，Ｂ，Ｃ」が表示され、数字「３」キーには英文字「Ｄ，Ｅ，Ｆ」が表示され、数字「４」キーには英文字「Ｇ，Ｈ，Ｉ」が表示され、数字「５」キーには英文字「Ｊ，Ｋ，Ｌ」が表示され、数字「６」キーには英文字「Ｎ，Ｍ，Ｏ」が表示され、数字「７」キーには、英文字「Ｐ，Ｑ，Ｒ，Ｓ」が表示され、数字「８」キーには英文字「Ｔ，Ｕ，Ｖ」が表示され、数字「９」キーには英文字「Ｗ，Ｘ，Ｙ，Ｚ」が表示される。
【００３０】
この表示部１１の下方にはペン入力部１３が設けられる。ペン入力部１３は、高さがｈ２［ｃｍ］で幅がｗ２［ｃｍ］程度の大きさを有しており、ユニークな電話番号を手動で画面描画入力する機能を有している。ペン入力部１３には別の液晶表示ディスプレイ及びタッチパネルが使用される。もちろん、ペン入力部１３は、表示部１１の表示領域IIを拡張し、その下方領域を兼用してもよい。ペン入力部１３は、例えば、当該端末装置本体１０１に備え付けのペン１４又は先端が尖った棒状物の先で英文字を描画して入力するように操作される。
【００３１】
端末装置本体１０１には、表示部１１及びペン入力部１３の他に、入力モード切り替え用のボタン１６が設けられる。入力モード切り替え用のボタン１６は、数字入力と、英数字入力とを切り替える際に使用される。数字入力モードを選択すると、数字キーそのものの英数字が入力される。英文字入力モードを選択すると、数字キーに割り付けられた英文字が入力される。
【００３２】
端末装置本体１０１には、表示部１１、ペン入力部１３及び入力モード切り替え用のボタン１６の他に、ジョグ（ＪＯＧ）ダイヤル１７が設けられる。ＪＯＧダイヤル１７は電話帳や発信履歴リスト等の検索時にカーソルを移動するように操作される。端末装置本体１０１にはＪＯＧダイヤル１７の他に、アンテナ１８や、電話モード選択用のボタン１９Ａ、他の処理モード選択用のボタン１９Ｂ、フックボタン１９Ｃ、受話器としてのスピーカー２１、送話器としてのマイクロフォン２２が備えられる。また、図示しないが端末装置本体１０１の側部等には電源スイッチが設けられる。
【００３３】
図２は、情報携帯端末装置１００の内部構成例を示すブロック図である。図２に示す情報携帯端末装置１００は、操作パネル１０、制御手段１５、アンテナ１８、スピーカー２１、マイクロフォン２２、ＥＥＰＲＯＭ２３、通信装置３０、映像＆音声処理部３４、ＵＳＢインターフェース３５及びシステムバス３６を有している。操作パネル１０、制御手段１５、ＥＥＰＲＯＭ２３、通信装置３０、映像＆音声処理部３４、ＵＳＢインターフェース３５は、システムバス３６に接続される。システムバス３６は例えば、データバス及び制御信号バスから構成される。
【００３４】
図２に示す通信装置３０は、ＥＥＰＲＯＭ２３から出力される電話番号データＤ１に基づいて相手方を呼び出して送信処理をするものであり、アンテナ共用器３１、無線受信部３２及び無線送信部３３を有して構成される。アンテナ１８は、アンテナ共用器３１に接続され、着呼時、相手方からの無線電波を基地局等から受信する。
【００３５】
アンテナ共用器３１には無線受信部３２が接続され、アンテナ１８から導かれる受信データＤinを受信制御信号Ｓ１に基づいて受信して映像や音声等を復調処理し、復調後の映像及び音声データＡＶinを出力するようになされる。無線受信部３２には、映像＆音声処理部３４が接続され、デジタルの音声データＡinをデジタル／アナログ変換して音声信号Ｓinを出力したり、デジタルの映像データＶinをデジタル／アナログ変換して映像信号Ｓｖを出力するようになされる。
【００３６】
映像＆音声処理部３４には受話器を構成するスピーカー２１が接続され、音声信号Ｓinを入力して相手方の話声等を拡大するようになされる。スピーカー２１は、着呼時、着信音や着信メロディ等を鳴動するようになされる。この映像＆音声処理部３４にはスピーカー２１の他に、送話器を構成するマイクロフォン２２が接続され、ユーザの話声を集音して音声信号Ｓoutを出力するようになされる。
【００３７】
映像＆音声処理部３４は、発呼時、相手方へ送るためのアナログの音声信号Ｓoutをアナログ／デジタル変換してデジタルの音声データＡoutを出力したり、アナログの映像信号Ｓｖをアナログ／デジタル変換してデジタルの映像データＶoutを出力するようになされる。映像＆音声処理部３４には無線受信部３２の他に、無線送信部３３が接続され、相手方へ送るための映像及び音声データＡＶout等を変調処理し、変調後の送信データＤoutを送信制御信号Ｓ２に基づいてアンテナ共用器３１を通じアンテナ１８に供給するようになされる。アンテナ１８は、アンテナ共用器３１から供給される無線電波を基地局等に向けて輻射するようになされる。
【００３８】
操作パネル１０は操作手段の一例であり、表示部１１、キー入力部１２及びペン入力部１３を有している。表示部１１及びキー入力部１２は、英数字や英文字（アルファベット）等の電話番号（以下キー入力データＤ３という）を手動でキーボタン入力する機能を有している。キーボタン入力によって生じたキー入力データＤ３は、システムバス３６を経由して制御手段１５に出力される。キー入力データＤ３は電話番号データＤ１を読み出すためのキー情報となる。
【００３９】
表示部１１は、数字「０」〜「９」から成るテンキーや、「＊」キー、「＃」キー等の記号キーを表示したり、発信電話番号として入力した英文字をそのまま履歴表示するようになされる。テンキーや記号キーの表示アイコンは、表示データＤ２に基づいて表示される。つまり、アルファベットを含んだわかりやすい電話番号をそのまま入力時のものと一致して表示するようになされる。従って、ＣＰＵで容易に発信電話番号を判別することができ、電話番号データＤ１を容易に確認できるようになる。
【００４０】
表示部１１には液晶表示ディスプレイが使用される。キー入力部１２は数字及び英文字を含む独特の（ユニークな）電話番号を入力するように操作される。キー入力部１２にはタッチパネルが使用され、表示部１１に表示されたテンキーや記号キー等を押下するように操作される。この例で、キー入力部１２は、図１に示したように、予め数字に割り当てられた英文字でユニークな電話番号を入力するように操作される。この操作は、ユニークな電話番号から電話番号データＤ１を登録するためである。表示部１１には上述の他に映像信号Ｓｖに基づいて着信映像を表示するようにしてもよい。
【００４１】
ペン入力部１３は、電話番号を手動で画面描画入力する機能を有している。例えば、ペン入力部１３は、当該端末装置本体１０１に備え付けのペン１４又は先端が尖った棒状物の先で英文字を描画して入力するように操作される（図４参照）。ペン入力によって生じたペン入力データＤ４は、システムバス３６を経由して制御手段１５に出力される。ペン入力データＤ４は電話番号データＤ１を読み出すためのキー情報となる。
【００４２】
制御手段１５はＲＯＭ５１、ＲＡＭ５２及びＣＰＵ５３を有している。ＣＰＵ５３はシステムプログラムに基づいて端末装置全体を制御するようになされる。ＲＯＭ５１には当該端末装置全体を制御するためのシステムプログラムデータＤ０が格納される。ＲＡＭ５２はワークメモリとして使用される。ＲＡＭ５２には汎用メモリが使用される。ＣＰＵ５３は電源オンと共に、ＲＯＭ５１からシステムプログラムデータＤ０を読み出してＲＡＭ５２に展開し、当該端末装置のシステムを立ち上げて情報携帯端末装置全体を制御するようになされる。
【００４３】
また、ＣＰＵ５３は情報読出し手段を構成し、ＥＥＰＲＯＭ２３から電話番号データＤ１を読み出して無線送信部３３に設定するようになされる。例えば、ＣＰＵ５３は、電話番号発信時に、キー入力部１２又はペン入力部１３により入力された電話番号に基づいてＥＥＰＲＯＭ２３から電話番号データＤ１を読み出すように動作する。
【００４４】
ＣＰＵ５３は、数字及び英文字を含むユニークな電話番号を電話番号データＤ１として認識する機能を有している。このようにすると、ＪＯＧダイヤル１７などの操作で、容易にユニークな電話番号（文字列）と電話番号データＤ１とをリンクさせるようなカーソルの移動対象とすることができる。このカーソルの選択状態から、ＣＰＵ５３は、ユニークな電話番号から相手方の電話番号データＤ１を認識するために、それに適したメニュー画面を表示部１１に表示したり、ＥＥＰＲＯＭ２３から電話番号データＤ１を読み出して電話回線接続操作をすぐに実行できるようになる。
【００４５】
ＥＥＰＲＯＭ２３は登録手段の一例であり、キー入力部１２又はペン入力部１３を使用して入力された電話番号に対応する電話番号データＤ１を登録するようになされる。このＥＥＰＲＯＭ２３には、電話番号データＤ１の他に電話番号管理ソフトウェア（以下電話番号管理データＤ５という）がインストールされ、電話番号データＤ１を管理するようになされる。ＥＥＰＲＯＭ２３には、電話番号管理データＤ５の他にデータ活用機能を実行するための機能拡張データＤ６が格納される。
【００４６】
ＵＳＢインターフェース３５は通信装置３０を構成し、パソコン等に接続され、有線通信回線等に接続可能なようにされる。例えば、ＣＰＵ５３は、ＥＥＰＲＯＭ２３に格納された機能拡張データＤ６に基づいて、ＵＳＢインターフェース３５及びパソコン等を通じて電話回線又は公衆電話回線に接続するように制御する。これは当該情報携帯端末装置１００を有線回線によりインターネット等に接続するためである。
【００４７】
図３は、ＲＯＭ５１における文字変換テーブル例を示す図である。図３に示す文字変換テーブル例は、ＲＯＭ５１に格納されるデータ内容である。この例でＲＯＭ５１は、数字「２」と英文字「Ａ，Ｂ，Ｃ」、数字「３」と英文字「Ｄ，Ｅ，Ｆ」、数字「４」と英文字「Ｇ，Ｈ，Ｉ」、数字「５」と英文字「Ｊ，Ｋ，Ｌ」、数字「６」と英文字「Ｎ，Ｍ，Ｏ」、数字「７」と英文字「Ｐ，Ｑ，Ｒ，Ｓ」、数字「８」と英文字「Ｔ，Ｕ，Ｖ」、数字「９」と英文字「Ｗ，Ｘ，Ｙ，Ｚ」とを対応付けた文字変換テーブルを有している。
【００４８】
ＲＯＭ５１は、キー入力部１２又はペン入力部１３から出力される英文字入力データを英数字入力データに変換し、ＲＡＭ５２上で電話番号データＤ１を構築するようになされる。ここで構築された電話番号データＤ１は、ＥＥＰＲＯＭ２３に登録される。
【００４９】
図４は、情報携帯端末装置１００におけるペン入力例を示す図である。図４に示すペン入力部１３は、電話番号を手動で画面描画入力する機能を有している。例えば、ペン入力部１３は、当該端末装置本体１０１に備え付けのペン１４又は先端が尖った棒状物の先で英文字を描画して入力するように操作される。
【００５０】
例えば、ペン入力部１３において、ペン１４を使用して「Ｇ」及び「Ｏ」が描画される。ペン入力によって生じたペン入力データ（英文字データ）Ｄ４は、システムバス３６を経由して制御手段１５に出力される。ペン入力データＤ４は電話番号データＤ１を読み出すためのキー情報となる。つまり、英文字「Ｇ」は、英数字「４」を読み出すキー情報であり、英文字「Ｏ」は、英数字「６」を読み出すキー情報である。
【００５１】
これにより、ペン入力部１３の画面上に直接記入された「ＧＯ」の文字をＣＰＵ５３で電話番号として認識させることができる。実際には、この「Ｇ」の文字は電話番号の「４」を意味し、「Ｏ」は電話番号「６」を意味する。電話発信画面ではこの英文字がそのまま記載されるが、情報携帯端末装置１００では、「ＧＯ」を「４６」と認識して回線接続処理を実行するようになる。
【００５２】
図５は、ユニークな電話番号の入力及び電話番号データＤ１の読出し例を示す概念図である。この実施例で、上述のＲＯＭ５１及びＲＡＭ５２は構築手段を構成し、キー入力部１２又はペン入力部１３により入力された電話番号に対応する電話番号データＤ１を構築するようになされる。
【００５３】
例えば、電話相手先である”ＰＯＮＹサービス”の電話番号が０８−００４６−７６６９の場合に、ユーザは０８００ＧＯＰＯＮＹを入力するようになされる。まず、ユーザは図５に示す入力モード切り替え用のボタン１６を操作して「英数字」を選択する。その後、キー入力部１２又はペン入力部１３を操作して、英数字「０」、「８」、「０」、「０」を押下する。そして、ボタン１６を操作して「英文字」を選択する。そして、キー入力部１２又はペン入力部１３を操作して、英文字分の「Ｇ」、「Ｏ」、「Ｐ」、「Ｏ」、「Ｎ」、「Ｙ」をそれぞれ押下する。
【００５４】
ＲＯＭ５１は、キー入力部１２又はペン入力部１３から出力される英文字「Ｇ」を数字「４」に変換し、英文字「Ｏ」を数字「６」に変換し、英文字「Ｐ」を数字「７」に変換し、英文字「Ｏ」を数字「６」に変換し、英文字「Ｎ」を数字「６」に変換し、英文字「Ｙ」を数字「９」にそれぞれ変換する。変換後の数字データはＲＡＭ５２に出力される。英数字「０」、「８」、「０」、「０」に係る数字データはそのままＲＡＭ５２に出力される。そして、ＲＡＭ５２上で、英数字データに基づく英数字「０」、「８」、「０」、「０」に続けて変換後の数字データに基づく数字「４」、「６」、「７」、「６」、「６」、「９」が並べられ、電話番号データＤ１＝「０８００４６７６６９」を構築するようになされる。ここで構築された電話番号データＤ１＝「０８００４６７６６９」は、ＥＥＰＲＯＭ２３に登録される。
【００５５】
このようにすると、ＣＰＵ５３は、発信電話番号をアルファベットで認識できるようになる。この結果、直接「０８００  ＧＯ  ＰＯＮＹ」などのように、最初から英数字−英文字を混在して入力することができ、英数字−英文字入力して電話番号データＤ１を作成することができる。
【００５６】
図６Ａ及びＢは、表示部１１に表示された電話帳からの電話番号発信例を示す図である。
【００５７】
この実施例では、図５で入力した文字列を利用してそのまま電話帳に記録するようになされる。この場合に、電話帳の電話番号欄に英文字を含んだユニークな電話番号がそのまま表示され，ＣＰＵ５３で電話番号として認識され、追記される。電話をかける場合は、この電話帳を開くように操作される。このようにすると、電話帳の機能として、数字以外の文字列を電話帳の番号欄に記載して、それをそのまま利用して相手方に電話をかけることができる。
【００５８】
この例で、図６Ａに示す表示部１１には電話帳（画面）が表示される。表示部１１の表示領域Ｉには「電話帳」のタイトルが表示され、その表示領域IIには、図５で登録等された電話番号が表示される。この例では、「ＰＯＮＹサービス」の相手方名称と共に、そのユニークな電話番号として、「ＴＥＬ  ０８００  ＧＯ  ＰＯＮＹ」がそのまま表示される。
【００５９】
表示領域IIにはタッチパネルと連動する発信ボタン２６が表示される。ユーザは、ＰＯＮＹサービスに電話をする場合に、図６Ａに示した電話帳画面で発信ボタン２６を押下するようになされる。この発信ボタン２６を押下すると、電話帳画面から図６Ｂに示す発信画面に自動的に遷移し、電話番号が入力された状態となり、その表示領域ＩにはＰＯＮＹサービスの電話番号として、「０８００  ＧＯ  ＰＯＮＹ」が表示される。表示領域IIには何も表示されない。
【００６０】
この電話番号「０８００ＧＯＰＯＮＹ」に対応する電話番号データＤ１＝「０８００４６７６６９」は、ＥＥＰＲＯＭ２３から読み出される。電話番号データＤ１は電話番号管理ソフトウェアを使用して管理するようになされる。この電話番号「０８００４６７６６９」によって相手方であるＰＯＮＹサービスへ発信することが可能となる。このように情報携帯端末装置１００を構成すると、英文字表記電話番号に基づいて電話をかけることや、その英文字表記電話番号のまま電話帳管理ができたり、内蔵されているドキュメントＶｉｅｗｅｒから直接発信できるようになる。
【００６１】
図７Ａ及びＢは、表示部１１に表示された発信履歴リストからの電話番号発信例を示す図である。
この実施例では、図６で発信した電話番号を発信履歴リストに記録するようになされる。この場合に、発信履歴リストの電話番号欄に英文字を含んだユニークな電話番号がそのまま表示され，ＣＰＵ５３で電話番号として認識され、履歴管理される。電話をかける場合は、この発信履歴リストを開くように操作される。
【００６２】
この例で、図７Ａに示す表示部１１には発信履歴リスト（画面）が表示される。表示部１１の表示領域Ｉには「発信履歴リスト」及び「相手方名」の項目が表示され、その表示領域IIには、図６で過去に発信した相手方の電話番号が表示される。この例では、通常の数字のみの電話番号、例えば、「１２３４５６７９９９９」と共に、その相手先名として「ＴＯＤ」が記録される。その下方にも、通常の数字のみの電話番号、例えば、「１１４５４３２３３３３」と共に、その相手先名として「ＭＡＲＣ」が記録される。この下方には、本発明に係るユニークな電話番号として数字−英文字混在の「０８００ＧＯＰＯＮＹ」と共に、その相手先名として「ＰＯＮＹサービス」が記録される。
【００６３】
その下方にも、通常の電話番号として「１２２３４００４４４４」や、ユニークな電話番号として数字−英文字混在の「０８００ＳＵＰＥＲＸ」が記録され、その下方に、通常の電話番号として「１２２３４００４４４４」等が記録され表示される。この例で、「０８００ＧＯＰＯＮＹ」及び「ＰＯＮＹサービス」を囲む点線は、カーソル４１を示している。このカーソル４１は、図１に示したＪＯＧダイヤル１７を操作することで、上下にスクロールするようになされる。
【００６４】
この表示領域IIにもタッチパネルと連動する発信ボタン２６が表示される。ここでユーザは、例えば、ＰＯＮＹサービスに電話をする場合に、図７Ａに示した発信履歴リスト画面で図１に示したＪＯＧダイヤル１７を操作し、カーソル４１を「０８００ＧＯＰＯＮＹ」及び「ＰＯＮＹサービス」に移動して選択する。その後、発信履歴リスト画面で発信ボタン２６を押下するようになされる。
【００６５】
この発信ボタン２６を押下すると、発信履歴リスト画面から図７Ｂに示す発信画面に自動的に遷移し、電話番号が入力された状態となり、その表示領域ＩにはＰＯＮＹサービスの電話番号として、「０８００ＧＯＰＯＮＹ」が表示される。その電話番号「０８００ＧＯＰＯＮＹ」に対応する電話番号データＤ１＝「０８００４６７６６９」がＥＥＰＲＯＭ２３から読み出され、この電話番号「０８００４６７６６９」にて発信することが可能となる。
【００６６】
このように、情報携帯端末装置１００を構成すると、発信電話番号として入力した英文字列をそのまま履歴表示リストに記録することができ、履歴表示リストが英文字列のままであれば、入力したものとの一致が容易に確認できるようになる。しかも、英文字を含むユニークな電話番号に関して、そのまま選択状態として発信履歴リスト画面下の発信ボタン２６を操作するようになされ、手入力で数字文字を入力したのと同等の発信操作を実行できるようになる。
【００６７】
続いて、本発明に係る情報処理方法について説明をする。図８〜図１０は情報携帯端末装置１００における第１の実施例としての情報処理例（その１〜３）を示すフローチャートである。
【００６８】
この実施例では、数字及び英文字を含むユニークな電話番号を受け付けると共に、当該電話番号に対応する電話番号データＤ１の登録を受け付けるようになされる。この例では、英文字入力されたアルファベットや、手書き文書から選択したアルファベットを電話番号として認識するルーチンが設けられ、電話番号発信時にユニークな電話番号の入力を受け付け、この電話番号に基づく電話番号データＤ１を読出し処理する場合を前提とする。
【００６９】
この例で電話番号データＤ１を構築処理する際に、図３に示した数字「２」と英文字「Ａ，Ｂ，Ｃ」、数字「３」と英文字「Ｄ，Ｅ，Ｆ」、数字「４」と英文字「Ｇ，Ｈ，Ｉ」、数字「５」と英文字「Ｊ，Ｋ，Ｌ」、数字「６」と英文字「Ｎ，Ｍ，Ｏ」、数字「７」と英文字「Ｐ，Ｑ，Ｒ，Ｓ」、数字「８」と英文字「Ｔ，Ｕ，Ｖ」、数字「９」と英文字「Ｗ，Ｘ，Ｙ，Ｚ」とを対応付けた文字変換テーブルが使用される。
【００７０】
これらを情報処理条件にして、図８に示すフローチャートのステップＡ１で当該情報携帯端末装置１００のＣＰＵ５３は電源オン情報を検出する。電源オン情報が検出された場合は、ステップＡ２に移行してＣＰＵ５３は、電話モード又は他の処理モードのいずれかの選択を受け付ける。このモード選択に基づいてＣＰＵ５３は制御を分岐する。この例では、図１に示した端末装置本体１０１のボタン１９Ａを押下すると電話モードが選択され、同ボタン１９Ｂを押下すると、他の処理モードが選択可能になされている。
【００７１】
電話モードが選択された場合は、ステップＡ３に移行して、ＣＰＵ５３は電話番号入力モード又は電話番号リード（読出し）モードのいずれかの選択を受け付けるようになされる。このモード選択でも、ＣＰＵ５３は制御を分岐する。電話番号入力モードが選択された場合は、ステップＡ４に移行してＣＰＵ５３は、キー入力モード又はペン入力モードのいずれかの選択を受け付けるようになされる。このモード選択でも、ＣＰＵ５３は制御を分岐する。キー入力モードでは、電話番号データＤ１を登録するために、電話番号を手動でキーボタン入力処理するようになされる。
【００７２】
キー入力モードが選択された場合は、ステップＡ５に移行してＣＰＵ５３は、英数字入力モード又は英文字入力モードのいずれかの選択を受け付けるようになされる。このモード選択でも、ボタン１６の押下に基づいてＣＰＵ５３は制御を分岐する。このとき、ユーザは、例えば、電話相手先である”ＰＯＮＹサービス”の電話番号が０８−００４６−７６６９の場合に、「０８００ＧＯＰＯＮＹ」を入力するようになされる。
【００７３】
この例では、図１又は図５に示した入力モード切り替え用のボタン１６を操作して、最初に英数字入力モードが選択されるので、この場合は、ステップＡ６に移行してユーザはキー入力部１２を操作して、英数字「０」、「８」、「０」、「０」を押下する（数字キー入力処理の実行）。ＣＰＵ３５はこの操作を受けて、数字キーデータ「０」、「８」、「０」、「０」を入力するようになされる。
【００７４】
その後、ステップＡ７に移行して、ＣＰＵ３５は表示部１１に対して「数字」の表示処理を実行する。表示部１１は、例えば、図１に示した表示領域Ｉに「０８００」等を表示する。その後、図９に示すフローチャートのステップＡ１０に移行する。ステップＡ１０では、電話番号の入力が全て済んだかをチェックする。この際のチェックはユーザによってなされる。電話番号の入力が全て済んでいない場合は、図８に示したフローチャートのステップＡ４に戻って上述した処理を繰り返すようになされる。
【００７５】
この例では、予め数字に割り当てられた英文字でユニークな電話番号を入力処理すべく、ボタン１６を操作して「英文字」を選択し、英数字に続いて英文字を入力するようになされる。つまり、ステップＡ４からステップＡ５に移行する。このステップＡ５では英文字入力モードが選択されるので、ステップＡ８に移行する。ステップＡ８でユーザは、英文字入力処理を実行する。このとき、ユーザはキー入力部１２を操作して、英文字分の「Ｇ」、「Ｏ」、「Ｐ」、「Ｏ」、「Ｎ」、「Ｙ」をそれぞれ押下（キー入力処理）する。ＣＰＵ３５は英文字キーデータ「Ｇ」、「Ｏ」、「Ｐ」、［Ｏ」、「Ｎ」、「Ｙ」を入力するようになされる。
【００７６】
その後、ステップＡ９に移行して、ＣＰＵ５３は表示部１１に対して「英文字」の表示処理を実行する。このとき、表示部１１は、例えば、図１に示した表示領域Ｉに「０８００」に続けて「ＧＯＰＯＮＹ」を表示する。その後、図９に示すステップＡ１０に移行する。
【００７７】
なお、図８に示したフローチャートのステップＡ４でペン入力モードを選択した場合は、電話番号を手動で画面描画入力処理するために、図１０に示すフローチャートのステップＡ１１に移行する。英数字入力モード又は英文字入力モードのずれかの選択を受け付けるようになされる。このモード選択でも、ボタン１６の押下に基づいてＣＰＵ５３は制御を分岐する。このとき、図４に示したペン入力部１３は、当該端末装置本体１０１に備え付けのペン１４又は先端が尖った棒状物の先で英文字を描画するように取り扱われる。
【００７８】
この例で上述のステップＡ１１で英数字入力モードが選択された場合は、ステップＡ１２に移行して数字描画入力処理を実行する。例えば、ペン入力部１３において、ペン１４を使用して「Ｇ」及び「Ｏ」が描画される。ペン入力によって生じたペン入力データ（英文字データ）Ｄ４は、システムバス３６を経由して制御手段１５に出力される。その後、ステップＡ１３に移行して、「数字」の表示処理を実行する。そして、図９に示したフローチャートのステップＡ１０に戻る。
【００７９】
また、図１０に戻って、ステップＡ１１で英文字入力モードが選択された場合は、ステップＡ１４に移行して英文字描画入力処理を実行する。その後、ステップＡ１５に移行して、「英文字」の表示処理を実行する。これにより、ペン入力部１３の画面上に直接記入された「ＧＯ」の文字をＣＰＵ５３で電話番号として認識させることができる。そして、図９に示したステップＡ１０に戻る。
【００８０】
このステップＡ１０で電話番号の入力が全て済んだ場合は、ステップＡ１６に移行してＣＰＵ５３は、相手方の電話番号を発信するか否かの選択を受け付ける。発信するか否かの選択は、図６に示した電話帳画面の発信ボタン２６の押下をＣＰＵ５３が検出して判断する。発信ボタン２６の押下が検出されて、相手方の電話番号を発信する場合は、先のステップで入力されたユニークな電話番号に対応する電話番号データＤ１を構築処理すべく、ステップＡ１７に移行してユニークな電話番号を電話番号データＤ１に変換する。
【００８１】
このとき、ＲＯＭ５１は、キー入力部１２又はペン入力部１３から出力される英文字「Ｇ」を数字「４」に変換し、英文字「Ｏ」を数字「６」に変換し、英文字「Ｐ」を数字「７」に変換し、英文字「Ｏ」を数字「６」に変換し、英文字「Ｎ」を数字「６」に変換し、英文字「Ｙ」を数字「９」にそれぞれ変換する。変換後の数字データはＲＡＭ５２に出力される。英数字「０」、「８」、「０」、「０」に係る数字データはそのままＲＡＭ５２に出力される。
【００８２】
そして、ＲＡＭ５２上で、英数字データに基づく英数字「０」、「８」、「０」、「０」に続けて変換後の数字データに基づく数字「４」、「６」、「７」、「６」、「６」、「９」が並べられ、電話番号データＤ１＝「０８００４６７６６９」を構築するようになされる。ここで構築された電話番号データＤ１は無線送信部３３に供給され設定される。この例では、ステップＡ１８に移行して無線送信部３３は、電話番号データＤ１を使用して電話番号を発信し、相手方を発呼して回線接続処理を実行する。
【００８３】
そして、ステップＡ１９に移行して相手方と通話処理を実行する。このとき、送話器を構成するマイクロフォン２２が、ユーザの話声を集音して音声信号Ｓoutを映像＆音声処理部３４に出力するようになされる。映像＆音声処理部３４では、相手方へ送るためのアナログの音声信号Ｓoutをアナログ／デジタル変換してデジタルの音声データＡoutを出力したり、アナログの映像信号Ｓｖをアナログ／デジタル変換してデジタルの映像データＶoutを出力するようになされる。映像＆音声処理部３４に接続された無線送信部３３では、相手方へ送るための映像及び音声データＡＶout等を変調処理し、変調後の送信データＤoutを送信制御信号Ｓ２に基づいてアンテナ共用器３１を通じアンテナ１８に供給するようになされる。アンテナ１８は、アンテナ共用器３１から供給される無線電波を基地局等に向けて輻射するようになされる。
【００８４】
一方、相手方からの無線電波は、基地局等からアンテナ１８及びアンテナ共用器３１を通じて受信される。アンテナ共用器３１に接続された無線受信部３２では、アンテナ１８から導かれる受信データＤinを受信制御信号Ｓ１に基づいて受信して映像や音声等を復調処理し、復調後の映像及び音声データＡＶinを出力するようになされる。無線受信部３２に接続された映像＆音声処理部３４では、デジタルの音声データＡinをデジタル／アナログ変換して音声信号Ｓinを出力したり、デジタルの映像データＶinをデジタル／アナログ変換して映像信号Ｓｖを出力するようになされる。映像＆音声処理部３４に接続された、受話器を構成するスピーカー２１は、音声信号Ｓinを入力して相手方の話声等を拡大するようになされる。
【００８５】
その後、ステップＡ２０に移行してＣＰＵ５３は、フックボタン１９Ｃがオンフックされたか否かを判別する。フックボタン１９Ｃがオンフックされていない場合は、ステップＡ１９に戻って通話処理を継続する。フックボタン１９Ｃがオンフックされた場合は、ステップＡ２１に移行してＣＰＵ５３は発信番号を保存処理する。このとき、先にＲＡＭ５２上で構築された、英数字データに基づく英数字「０」、「８」、「０」、「０」、変換後の数字データに基づく数字「４」、「６」、「７」、「６」、「６」、「９」が、電話番号データＤ１＝「０８００４６７６６９」としてＥＥＰＲＯＭ２３に登録される。その後、ステップＡ２６に移行する。
【００８６】
また、図８に示したフローチャートのステップＡ３でリードモードが選択された場合は、図１０に示すフローチャートのステップＡ２２に移行してユニークな電話番号の読出し処理を実行する。このときの電話番号読出し操作は、他の処理モード１９Ｂ等を押下し、そのメニュー画面内で選択するようになされる。このメニュー画面には電話帳や発信履歴リスト等が準備されている。
【００８７】
そして、ステップＡ２３に移行してＣＰＵ５３は表示部１１を制御して電話番号の表示処理を実行する。このとき、表示部１１は、図７Ａに示したような発信履歴リストを表示し、この発信履歴リストから電話番号を発信するようになされる。この発信履歴リストの電話番号欄には、英文字を含んだユニークな電話番号がそのまま表示され，ＣＰＵ５３で電話番号として認識され、履歴管理される。
【００８８】
そして、ステップＡ２４に移行してユーザは電話番号を選択すべく、ＪＯＧダイヤル１７を操作してカーソルを移動するようになされる。この例では、図７Ａに示したように、「０８００ＧＯＰＯＮＹ」及び「ＰＯＮＹサービス」を検索すべく、カーソル４１を移動する。カーソル４１は、図１に示したＪＯＧダイヤル１７を操作することで、上下にスクロールするようになされる。
【００８９】
なお、電話番号を選択しない場合は、図９に示したフローチャートのステップＡ２６に移行する。ここでユーザは、例えば、ＰＯＮＹサービスに電話をする場合であって、その電話番号を検索選択した場合は、ステップＡ１６に戻って、上述したように相手方の電話番号を発信するか否かの選択を受け付ける。
【００９０】
ここで、相手方の電話番号を発信する場合は、図７Ａに示した発信履歴リスト画面で「０８００ＧＯＰＯＮＹ」を選択して、発信履歴リスト画面で発信ボタン２６を押下するようになされる。この発信ボタン２６の押下によって、ステップＡ１７に移行してＣＰＵ５３は、ユニークな電話番号を電話番号データＤ１に変換するようにＥＥＰＲＯＭ２３のメモリ制御を実行する。先にＥＥＰＲＯＭ２３に記録された電話番号＝「０８００ＧＯＰＯＮＹ」に基づく電話番号データＤ１＝「０８００４６７６６９」を読み出すようになされる。
【００９１】
そして、ステップＡ１８に移行して変換後の電話番号データＤ１を使用して電話番号を発信し、相手方を発呼して回線接続処理を実行する。このときの処理内容は、上述した通りである。そして、ステップＡ１９に移行して相手方と通話処理を実行する。このときの処理内容も上述した通りである。
【００９２】
その後、ステップＡ２０に移行してＣＰＵ５３は、フックボタン１９Ｃがオンフックされたか否かを判別する。フックボタン１９Ｃがオンフックされていない場合は、ステップＡ１９に戻って通話処理を継続する。フックボタン１９Ｃがオンフックされた場合は、ステップＡ２１に移行して発信番号を保存する。発信番号の保存処理についても、上述した通りである。その後、ステップＡ２６に移行する。
【００９３】
なお、図８に示したフローチャートのステップＡ２で他の処理モードが選択された場合は、図９に示すフローチャートのステップＡ２５に移行して他の処理モードを実行する。他の処理モードには、第２の実施例で説明するインターネットモードが含まれる。他の処理モードを終了すると共に、ステップＡ２６に移行してＣＰＵ５３は、情報処理の終了有無を判断する。例えば、ＣＰＵ５３は、電源オフ情報を検出して情報処理を終了する。電源オフ情報が検出されない場合は、図８に示したフローチャートのステップＡ２に戻って上述した処理を繰り返すようになされる。
【００９４】
このように、本発明に係る第１の実施例としての情報携帯端末装置及び情報処理方法によれば、電話番号データＤ１を処理する場合に、キー入力部１２又はペン入力部１３は数字及び英文字を含むユニークな電話番号を入力するようになされる。ＥＥＰＲＯＭ２３は、キー入力部１２又はペン入力部１３により入力された電話番号に対応する電話番号データＤ１を登録するようになされる。これを前提にして、ＣＰＵ５３は、電話番号発信時に、キー入力部１２又はペン入力部１３により入力された電話番号に基づいて電話番号データＤ１を読み出すようになされる。
【００９５】
従って、相手方の電話番号データＤ１をユーザの最も覚えやすい英文字列等のユニークな電話番号、例えば、相手方のロゴ名称を一部に含む電話番号を指定して登録することができる。これにより、英文字を頭の中で数字に置き換えて電話番号データＤ１を入力する手間が省ける。また、異なった電話番号データＤ１を間違えて発信してしまうおそれがなくなる。
【００９６】
しかも、表示部１１の画面上でキーボードなどを直接的に利用して電話番号を入力したり、ペンで文字入力することができるので、使い慣れてくると、この電話番号データＤ１を発信履歴などを利用せずに、キー入力処理できるようになる。
【００９７】
これにより、アルファベットから文字列へ変換するプロセス機能や、それを電話番号としてＣＰＵ５３で認識させる機能、電話帳機能、履歴記載機能、発信機能等を組み込んだ情報携帯端末装置１００を提供することができる。しかも、「英文字を使った電話番号」の情報が記載されている文書を電話番号と認識して等価的に、かつ、直接的に利用して電話をかけることが可能になる。
【実施例２】
【００９８】
図１１Ａ及びＢは、本発明に係る第２の実施例としての情報携帯端末装置１００の表示部１１におけるＷＥＢ画面の表示例を示す図である。
この実施例で、図１に示した情報携帯端末装置１００のＥＥＰＲＯＭ２３には、通信装置３０を制御するインターネット閲覧ソフトウェア又は文書閲覧ソフトウェアを備え、インターネットブラウザから相手方へ電話をかける場合を想定する。この例の情報携帯端末装置１００は、例えば、「０８００−ＧＯ−ＰＯＮＹ」という英文字列が、ＰＯＮＹサービスへの電話番号の可能性があるということを自動認識する機能を有しており、この操作を連想するメニュー画面として、「電話をかける」ための操作メニュー画面を自動的に表示するようになされる。
【００９９】
図１１Ａに示す表示部１１の表示領域Ｉには、「インターネットＷＥＢ画面」のタイトルが表示される。この例でインターネット閲覧ソフトウェアによって表示されたインターネットページ及び／又は閲覧文書内に記載される「英文字を使った電話番号」の情報を複写した後に、ＣＰＵ５３は、ダイヤル機能ソフトウェアに対して当該情報の貼り付け操作を実行する。このようにすると、「英文字を使った電話番号」の情報が記載されている文書やインターネットの記事を、電話番号と認識して等価的に使用して直接利用して電話をかけることが可能になる。
【０１００】
特に、インターネット閲覧ソフトウェア上で表示している英文字列を電話番号として認識してその操作を電話に連想させることで、インターネット上で直接電話をかける入力操作ができるようになり、電話をかけるまでの手順が単純化され、電話番号入力操作が容易にできるようになる。
【０１０１】
続いて、本発明に係る情報処理方法について説明をする。図１２及び図１３は第２の実施例としての情報携帯端末装置１００における情報処理例（その１、２）を示すフローチャートである。
【０１０２】
この実施例では、インターネット閲覧ソフトに基づいて、図１１Ａに示したインターネットＷＥＢ画面が表示され、そのインターネットＷＥＢ画面の中に電話番号に相当する英文字列として記載されている部分をペン１４等で選択するように操作される。この英文字列による電話番号に基づいて発信処理する場合を前提とする。この例では、図１に示した端末装置本体１０１のボタン１９Ｂを押下するとインターネットモードが選択され、同ボタン１９Ａを押下すると、電話モードが選択可能になされる場合を例に挙げる。
【０１０３】
これらを情報処理条件にして、図１２に示すフローチャートのステップＢ１で当該情報携帯端末装置１００のＣＰＵ５３は電源オン情報を検出する。電源オン情報が検出された場合は、ステップＢ２に移行してＣＰＵ５３は、インターネットモード又は電話モードのいずれかの選択を受け付ける。このモード選択に基づいてＣＰＵ５３は制御を分岐する。
【０１０４】
この例では、図１に示した端末装置本体１０１のボタン１９Ｂが押下され、インターネットモードが選択されると、ステップＢ３に移行してＣＰＵ５３は、表示部１１でインターネットＷＥＢ画面を表示するようになされる。例えば、図１１Ａに示した表示領域Ｉの下方には、表示領域IIが割り当てられ、その表示領域IIには、「０８００−ＧＯ−ＰＯＮＹ」という英文字列や、ＣＡＬＬボタン３６及びＭＥＭＯ等を表示するようになされる。
【０１０５】
そして、ステップＢ４に移行して、ユーザは、スクロール機能を操作してＣＡＬＬボタン３６及びＭＥＭＯ等の表示場所を特定するようになされる。その後、ステップＢ５に移行して、ＣＰＵ５３は、ＣＡＬＬボタン３６の押下有無を検出する。この検出は、次の操作を連想するメニュー画面を表示制御するためである。
【０１０６】
この例で、ユーザがステップＢ５でＣＡＬＬボタン３６を押下すると、ＣＰＵ５３は「電話をかける」と認識して、ここで選択状態になされた英文字列を電話番号として、図１１Ｂに示すような操作メニュー画面（発信画面）に表示を切り替える。この例では、表示部１１の表示領域ＩはインターネットＷＥＢ画面のタイトルから電話番号欄へ表示が切り替わり、この表示領域Ｉにユニークな電話番号「０８００ＧＯＰＯＮＹ」を自動挿入するようになされる。
【０１０７】
表示領域IIには、キー入力部１２の画面を表示するようになされる。もちろん、このキー入力部１２の画面表示は、何らこれに限定されるものではない。これにより、第１の実施例の場合と同様にして相手方に電話をかけることができるようになる。
【０１０８】
この例では、記号「＃」キーが発信ボタン２６に相当し、その押下によって相手方の電話番号を発信する場合は、先のステップで入力されたユニークな電話番号に対応する電話番号データＤ１を構築処理すべく、ステップＢ９に移行してユニークな電話番号を電話番号データＤ１に変換する。
【０１０９】
このとき、ＲＯＭ５１は、キー入力部１２又はペン入力部１３から出力される英文字「Ｇ」を数字「４」に変換し、英文字「Ｏ」を数字「６」に変換し、英文字「Ｐ」を数字「７」に変換し、英文字「Ｏ」を数字「６」に変換し、英文字「Ｎ」を数字「６」に変換し、英文字「Ｙ」を数字「９」にそれぞれ変換する。変換後の数字データはＲＡＭ５２に出力される。英数字「０」、「８」、「０」、「０」に係る数字データはそのままＲＡＭ５２に出力される。
【０１１０】
そして、ＲＡＭ５２上で、英数字データに基づく英数字「０」、「８」、「０」、「０」に続けて変換後の数字データに基づく数字「４」、「６」、「７」、「６」、「６」、「９」が並べられ、電話番号データＤ１＝「０８００４６７６６９」を構築するようになされる。ここで構築された電話番号データＤ１は無線送信部３３に供給され設定される。この例では、ステップＢ１０に移行して無線送信部３３は、電話番号データＤ１を使用して電話番号を発信し、相手方を発呼して回線接続処理を実行する。
【０１１１】
そして、ステップＢ１１に移行して相手方と通話処理を実行する。このとき、送話器を構成するマイクロフォン２２が、ユーザの話声を集音して音声信号Ｓoutを映像＆音声処理部３４に出力するようになされる。映像＆音声処理部３４では、相手方へ送るためのアナログの音声信号Ｓoutをアナログ／デジタル変換してデジタルの音声データＡoutを出力したり、アナログの映像信号Ｓｖをアナログ／デジタル変換してデジタルの映像データＶoutを出力するようになされる。映像＆音声処理部３４に接続された無線送信部３３では、相手方へ送るための映像及び音声データＡＶout等を変調処理し、変調後の送信データＤoutを送信制御信号Ｓ２に基づいてアンテナ共用器３１を通じアンテナ１８に供給するようになされる。アンテナ１８は、アンテナ共用器３１から供給される無線電波を基地局等に向けて輻射するようになされる。
【０１１２】
一方、相手方からの無線電波は、基地局等からアンテナ１８及びアンテナ共用器３１を通じて受信される。アンテナ共用器３１に接続された無線受信部３２では、アンテナ１８から導かれる受信データＤinを受信制御信号Ｓ１に基づいて受信して映像や音声等を復調処理し、復調後の映像及び音声データＡＶinを出力するようになされる。無線受信部３２に接続された映像＆音声処理部３４では、デジタルの音声データＡinをデジタル／アナログ変換して音声信号Ｓinを出力したり、デジタルの映像データＶinをデジタル／アナログ変換して映像信号Ｓｖを出力するようになされる。映像＆音声処理部３４に接続された、受話器を構成するスピーカー２１は、音声信号Ｓinを入力して相手方の話声等を拡大するようになされる。
【０１１３】
その後、ステップＢ１２に移行してＣＰＵ５３は、フックボタン１９Ｃがオンフックされたか否かを判別する。フックボタン１９Ｃがオンフックされていない場合は、ステップＢ１１に戻って通話処理を継続する。フックボタン１９Ｃがオンフックされた場合は、ステップＢ１３に移行してＣＰＵ５３は発信番号を保存するようになされる。このとき、先にＲＡＭ５２上で構築された、英数字データに基づく英数字「０」、「８」、「０」、「０」、変換後の数字データに基づく数字「４」、「６」、「７」、「６」、「６」、「９」が、電話番号データＤ１＝「０８００４６７６６９」としてＥＥＰＲＯＭ２３に登録される。その後、ステップＢ１４に移行する。
【０１１４】
また、図１２に示したフローチャートのステップＢ２で電話モードが選択された場合は、ステップＢ６に移行してユニークな電話番号の読出し処理を実行する。このときの電話番号読出し操作は、図示しないメニュー画面で電話帳や発信履歴リスト等が選択される。
【０１１５】
そして、ステップＢ７に移行してＣＰＵ５３は表示部１１を制御して電話番号の表示処理を実行する。このとき、表示部１１は、図７Ａに示したような発信履歴リストを表示し、この発信履歴リストから電話番号を発信するようになされる。この発信履歴リストの電話番号欄には、英文字を含んだユニークな電話番号がそのまま表示され、ＣＰＵ５３で電話番号として認識され、履歴管理される。
【０１１６】
そして、ステップＢ８に移行してユーザは電話番号を選択すべく、ＪＯＧダイヤル１７を操作してカーソル４１を移動するようになされる。この例では、図７Ａに示したように、「０８００ＧＯＰＯＮＹ  ＰＯＮＹサービス」を検索すべく、カーソル４１を移動する。カーソル４１は、図１に示したＪＯＧダイヤル１７を操作することで、上下にスクロールするようになされる。
【０１１７】
なお、ＣＡＬＬボタン３６を選択しない場合は、図１３に示したフローチャートのステップＢ１４に移行して、ＣＰＵ５３は、情報処理の終了有無を判断する。例えば、ＣＰＵ５３は、電源オフ情報を検出して情報処理を終了する。電源オフ情報が検出されない場合は、図１２に示したフローチャートのステップＢ２に戻って上述した処理を繰り返すようになされる。
【０１１８】
このように第２の実施例としての情報携帯端末装置及び情報処理方法によれば、英文字表記電話番号に基づいて電話をかけることや、その英文字表記電話番号のまま電話帳管理をすることができ、内蔵されているＷｅｂ  Ｂｒｏｗｓｅｒから直接発信できるようになる。特に、「英文字を使った電話番号」の情報が記載されているインターネットの記事を電話番号と認識して等価的に、かつ、直接的に利用して電話をかけることが可能になる。
【０１１９】
なお、インターネットブラウザ上でカーソル４１を導入し、ＪＯＧダイヤル１７を操作して、リンク先を次々に辿れるようにすると、この「電話番号と想定できるような英文字列」も単純にインターネット上でリンクすることができる。第１の実施例と同様にして、このカーソル４１を選択状態とすると、そこから電話番号に適したメニュー画面をボタン操作などによって表示することができる。これによって、上述した「電話をかける」ところまでの電話番号入力操作をできるようになる。この操作は、情報携帯端末装置１００を片手操作によって、インターネットから電話をかけるまでの一連の操作を文字列形式の電話番号によって実行することができる。
【産業上の利用可能性】
【０１２０】
この発明は、ユニークな電話番号情報を処理する情報携帯端末装置や携帯電話機等に適用して極めて好適である。
【図面の簡単な説明】
【０１２１】
【図１】本発明に係る各実施例としての情報携帯端末装置１００の外観例を示す平面図である。
【図２】情報携帯端末装置１００の内部構成例を示すブロック図である。
【図３】ＲＯＭ５１における文字変換テーブル例を示す図である。
【図４】情報携帯端末装置１００におけるペン入力例を示す図である。
【図５】ユニークな電話番号の入力及び電話番号データＤ１の読出し例を示す概念図である。
【図６】Ａ及びＢは、表示部１１に表示された電話帳からの電話番号発信例を示す図である。
【図７】Ａ及びＢは、表示部１１に表示された発信履歴リストからの電話番号発信例を示す図である。
【図８】第１の実施例としての情報携帯端末装置１００における情報処理例（その１）を示すフローチャートである。
【図９】その情報携帯端末装置１００における情報処理例（その２）を示すフローチャートである。
【図１０】その情報携帯端末装置１００における情報処理例（その３）を示すフローチャートである。
【図１１】Ａ及びＢは、本発明に係る第２の実施例としての情報携帯端末装置１００の表示部１１におけるＷＥＢ画面の表示例を示す図である。
【図１２】第２の実施例としての情報携帯端末装置１００における情報処理例（その１）を示すフローチャートである。
【図１３】その情報携帯端末装置１００における情報処理例（その２）を示すフローチャートである。
【符号の説明】
【０１２２】
１０・・・操作パネル（操作手段）、１１・・・表示部（操作パネル）、１２・・・キー入力部（操作パネル）、１３・・・ペン入力部（操作パネル）、１４・・・ペン、１５・・・制御手段、１６・・・入力モード切り替え用のボタン、１９Ａ・・・電話モード選択用のボタン、１９Ｂ・・・他の処理モード選択用のボタン（インターネット選択ボタン）、１９Ｃ・・・・フックボタン、２３・・・ＥＥＰＲＯＭ（記憶装置）、２６・・・発信ボタン、３０・・・通信装置、３６・・・ＣＡＬＬボタン、５１・・・ＲＯＭ（制御手段）、５２・・・ＲＡＭ（制御手段）、５３・・・ＣＰＵ（制御手段）、１００・・・情報携帯端末装置
【図１】
2005260381.tif 000003
【図２】
2005260381.tif 000004
【図３】
2005260381.tif 000005
【図４】
2005260381.tif 000006
【図５】
2005260381.tif 000007
【図６】
2005260381.tif 000008
【図７】
2005260381.tif 000009
【図８】
2005260381.tif 000010
【図９】
2005260381.tif 000011
【図１０】
2005260381.tif 000012
【図１１】
2005260381.tif 000013
【図１２】
2005260381.tif 000014
【図１３】
2005260381.tif 000015